(57)【要約】【課題】紙葉類をその枚数（厚さ）にかかわらず確実にクロスカットできる新規なシュレッダー用カッターを提供する。【解決手段】カッターディスク12とスペーサー13とを交互に積層した一対のローラーカッター10,20を形成し、一方のカッターディスク12が他方のカッターディスク12間に互いに噛み合うように両者を平行に組み合わせ、かつ、各カッターディスク12とスペーサー13の外周面にこれより径方向に突出するエッジ部12ａ…、13ａ…を形成すると共に、それらの噛合部で、一方のカッターディスク12のエッジ部12ａと他方のスペーサー13のエッジ部13ａ同士が互いに摺接するようにする。これによって、縦切りされた紙葉類Ｐがその噛合部でエッジ部12ａ…、13ａ…によって上下に引き千切られるように切断されるため、紙葉類Ｐをその枚数（厚さ）にかかわらず確実にクロスカットできる。【選択図】        図１
2009131750.tif 000002
【特許請求の範囲】
【請求項１】
紙葉類を縦横に細断するシュレッダー用カッターであって、
回転軸上に円板状のカッターディスクと当該カッターディスクよりも小径な円板状のスペーサーとを交互に積層した一対のローラーカッターからなると共に、当該一対のローラーカッターのうち、一方のローラーカッターの各カッターディスクが他方のローラーカッターの各カッターディスク間に互いに噛み合うように当該ローラーカッター同士を平行に組み合わせ、
かつ、前記各ローラーカッターのカッターディスクとスペーサーの外周面にこれより径方向に突出するエッジ部を形成すると共に、前記一対のローラーカッターがそれぞれ反対方向に回転したときに、当該ローラーカッター同士の噛合部で、前記一方のローラーカッター側のカッターディスクのエッジ部と他方のローラーカッター側のスペーサーのエッジ部同士が互いに摺接するようになっていることを特徴とするシュレッダー用カッター。
【請求項２】
請求項１に記載のシュレッダー用カッターにおいて、
前記各ローラーカッターに、前記カッターディスクのエッジ部とスペーサーのエッジ部との回転軌跡に沿って延びるセパレーターを備えたことを特徴とするシュレッダー用カッター。
【発明の詳細な説明】
【技術分野】
【０００１】
本発明は、例えば個人情報や機密情報などが記載された書類や情報記録媒体などの紙葉類を復元不可能な程度に細断処理するためのシュレッダー（紙葉細断装置）に係り、特にその紙葉類を縦横に細かく剪断することができるシュレッダー用カッターに関する。
【背景技術】
【０００２】
近年、係るシュレッダーに備えられているカッターは、機密性の更なる向上を図るために紙葉類を単に縦方向にリボン状に細断するだけでなく、さらに縦切りと共に横切りを行うことでより細かく剪断可能なクロスカットタイプが主流となっている。
例えば、以下の特許文献１に示すようなシュレッダー用カッターは、回転自在な一対のローラーカッターを平行に噛み合わせると共に、各ローラーカッターを構成する複数のカッターディスクの外面にクロスカット用のエッジ（横切り刃）をその周方法に沿って複数形成したものである。そして、そのローラーカッター間に紙葉類を通過させる際にそのカッターディスクによって紙葉類を細かく縦切りすると共に、それら各カッターディスクのエッジによってその紙葉類を横方向に引き裂くようにすることで、その紙葉類を細かい短冊状に剪断するようにしている。
【０００３】
また、以下の特許文献２に示すようなシュレッダー用カッターは、紙葉類の投入口の直下に位置する縦切り用のローラーカッターと、この縦切り用のローラーカッターの下方に位置する横切り用のクロスカッターとから構成したものであり、先ず、投入された紙葉類を縦切り用のローラーカッターによって細かくリボン状に縦切りした後、横切り用のクロスカッターによってそのリボン状の剪断片を横切りしてその紙葉類を細かい短冊状に剪断するようにしている。
【特許文献１】特開平９−９９２４７号公報
【特許文献２】特開２００１−９３１２号公報
【発明の開示】
【発明が解決しようとする課題】
【０００４】
ところで、前記特許文献１に示すような構造をしたカッターにあっては、例えば紙葉類を十数枚以上重ねて切断する場合には、比較的良好にクロスカットが行われるが、１枚あるいは数枚程度を切断した場合には、そのカッターディスクのエッジ（横切り刃）がその紙葉類の表面に食い込まずに滑り抜けてしまい、完全なクロスカットが行われずに部分的に繋がった状態で細断されてしまうことがある。
一方、前記特許文献２に示すような構造をしたカッターの場合では、２種類のカッターが必要となるため、構造が複雑となって製造コストが高くなったり、そのカッターの設置スペースが広くなってしまうといった不都合がある。
そこで、本発明はこのような不都合を解消するためになされたものであり、その主な目的は、紙葉類をその枚数（厚さ）にかかわらず確実にクロスカットできる新規なシュレッダー用カッターを提供することを目的とする。 
【課題を解決するための手段】
【０００５】
前記課題を解決するために請求項１の発明は、
紙葉類を縦横に細断するシュレッダー用カッターであって、回転軸上に円板状のカッターディスクと当該カッターディスクよりも小径な円板状のスペーサーとを交互に積層した一対のローラーカッターからなると共に、当該一対のローラーカッターのうち、一方のローラーカッターの各カッターディスクが他方のローラーカッターの各カッターディスク間に互いに噛み合うように当該ローラーカッター同士を平行に組み合わせ、かつ、前記各ローラーカッターのカッターディスクとスペーサーの外周面にこれより径方向に突出するエッジ部を形成すると共に、前記一対のローラーカッターがそれぞれ反対方向に回転したときに、当該ローラーカッター同士の噛合部で、前記一方のローラーカッター側のカッターディスクのエッジ部と他方のローラーカッター側のスペーサーのエッジ部同士が互いに摺接するようになっていることを特徴とするシュレッダー用カッターである。
また、請求項２の発明は、
請求項１に記載のシュレッダー用カッターにおいて、前記各ローラーカッターに、前記カッターディスクのエッジ部とスペーサーのエッジ部との回転軌跡に沿って延びるセパレーターを備えたことを特徴とするシュレッダー用カッターである。
【発明の効果】
【０００６】
請求項１の発明によれば、一対のローラーカッターがそれぞれ反対方向に回転したときに、これらローラーカッター同士の噛合部で、一方のローラーカッター側のカッターディスクのエッジ部と他方のローラーカッター側のスペーサーのエッジ部同士が所定の速度差をもって互いに摺接するようになる。
従って、紙葉類を十数枚以上重ねて切断する場合は勿論、１枚あるいは数枚程度を切断する場合でも、そのカッターディスクのエッジ部とスペーサーのエッジ部がそれぞれ両側からその紙葉類の表面に食い込んだ後、これを上下に引き千切るように作用するため、その紙葉類Ｐの枚数（厚さ）にかかわらず確実にクロスカットすることができる。
【０００７】
また、このシュレッダー用カッターは、各ローラーカッターのカッターディスクとスペーサーの外周面にこれより径方向に突出するエッジ部を形成した構造であるため、従来のものに比べてもその構造がいたずらに複雑となることがない。
従って、製造コストが高くなったり、そのカッターの設置スペースが広くなってしまうといった不都合を未然に回避することができる。
【０００８】
請求項２の発明によれば、請求項１のようにしてクロスカットされた紙葉片がカッターディスクやそのエッジ部などにくっついてしまった場合でも、このセパレーターによってその紙葉片をその表面から確実に分離することができる。
これによって、クロスカットされた紙葉片がローラーカッターに巻き込まれたり、巻き付いて詰まったりするといった不都合を防止することができる。
【発明を実施するための最良の形態】
【０００９】
以下、本発明の実施の形態を添付図面を参照しながら説明する。
図１および図２は、本発明に係るシュレッダー用カッター１００の実施の一形態を示したものである。
図示するようにこのシュレッダー用カッター１００は、一対のローラーカッター１０，２０と、このローラーカッター１０，２０を駆動する駆動モータ３０とから主に構成されている。
このローラーカッター１０，２０は、それぞれ断面六角形をした回転軸１１、１１上にそれぞれ円板状のカッターディスク１２と、このカッターディスク１２よりも小径な円板状のスペーサー１３を複数交互に積層して構成されている。
このカッターディスク１２は、図２に示すように略八角形をした板厚数ｍｍの金属製円板から形成されており、その外周面の各角部には、これより径方向に突出した角形状のエッジ部１２ａ、１２ｂ、１２ｃ、１２ｄ、１２ｅ、１２ｆ、１２ｇ、１２ｈがそれぞれ周方向に一定の間隔を隔てて形成されている。
【００１０】
また、同図に示すように、スペーサー１３もこのカッターディスク１２と同様に略八角形をした同じ板厚の金属製円板から形成されており、その外周面の各角部には、これより径方向に突出した角形状のエッジ部１３ａ、１３ｂ、１３ｃ、１３ｄ、１３ｅ、１３ｆ、１３ｇ、１３ｈがそれぞれ周方向に一定の間隔を隔てて形成されている。
そして、図１および図２に示すように、これら一対のローラーカッター１０，２０のうち、一方のローラーカッター１０の各カッターディスク１２、１２…が他方のローラーカッター２０の各カッターディスク１２、１２…間に互いに密に噛み合うようにしてこれらローラーカッター１０，２０同士が平行かつ回転自在に組み合わされている。
【００１１】
また、図５に示すように、これら相互に噛み合うように組み合わされたローラーカッター１０，２０は、その一方のローラーカッター１０（２０）の各カッターディスク１２、１２…のエッジ部１２ａ、１２ｂ、１２ｃ、１２ｄ、１２ｅ、１２ｆ、１２ｇ、１２ｈと、他方のローラーカッター２０（１０）の各スペーサー１３、１３…のエッジ部１３ａ、１３ｂ、１３ｃ、１３ｄ、１３ｅ、１３ｆ、１３ｇ、１３ｈ同士は、その噛合部においてその先端部で互いに摺接するような位置関係となっている。
【００１２】
すなわち、このカッターディスク１２の周面部に形成された８つのエッジ部１２ａ、１２ｂ、１２ｃ、１２ｄ、１２ｅ、１２ｆ、１２ｇ、１２ｈと、同じくスペーサー１３の周面部に形成された８つのエッジ部１３ａ、１３ｂ、１３ｃ、１３ｄ、１３ｅ、１３ｆ、１３ｇ、１３ｈは、それぞれの回転軸１１，１１の中心に対して一定の中心角、つまり４５°の角度でそれぞれ形成されており、各ローラーカッター１０，２０が反対方向に回転してその噛合部において一方のローラーカッター１０（２０）のカッターディスク１２の各エッジ部１２ａ、１２ｂ、１２ｃ、１２ｄ、１２ｅ、１２ｆ、１２ｇ、１２ｈと、他方のローラーカッター２０（１０）のスペーサー１３のエッジ部１３ａ、１３ｂ、１３ｃ、１３ｄ、１３ｅ、１３ｆ、１３ｇ、１３ｈ同士がそれぞれ一時的に摺接（接触）するような位置関係となっている。
【００１３】
また、図１に示すように、これらローラーカッター１０，２０の回転軸１１，１１の端部には、それぞれ歯車１４，１４が設けられており、これら歯車１４，１４は、回転軸１１，１１の回転と共に回転自在に互いに噛み合うようになっている。
また、これらローラーカッター１０，２０のうち、一方のローラーカッター１０の回転軸１１には、スプロケット１５が設けられており、チェーン１６を介して駆動モータ３０の駆動軸３１のスプロケット３２に係合するようになっている。
また、図２に示すように、これら各ローラーカッター１０，２０には、前記カッターディスク１２のエッジ部１２ａ、１２ｂ、１２ｃ、１２ｄ、１２ｅ、１２ｆ、１２ｇ、１２ｈと、スペーサー１３のエッジ部１３ａ、１３ｂ、１３ｃ、１３ｄ、１３ｅ、１３ｆ、１３ｇ、１３ｈとの回転軌跡に沿って延びる櫛歯状のセパレーター４０，４０がそれぞれ設けられている。
【００１４】
このセパレーター４０は、各ローラーカッター１０，２０の長手方向に沿って延びる半割筒状のセパレーター本体４１の内周面に、その周方向に沿って円弧状の溝部４２が複数形成されたものであり、これら各溝部４２、４２…に各ローラーカッター１０，２０のカッターディスク１２、１２…が嵌め込まれるように位置すると共に、各溝部４２、４２…間の円弧状凸部４３，４３…にスペーサー１３のエッジ部１３ａ、１３ｂ、１３ｃ、１３ｄ、１３ｅ、１３ｆ、１３ｇ、１３ｈがそれぞれ臨むように位置するようになっている。
【００１５】
なお、このシュレッダー用カッター１００（の駆動モータ３０）は、従来と同様、図示しない制御装置によって制御されるようになっており、例えば、その近傍に設けられた図示しないセンサが細断対象となる紙葉類Ｐを検出したときに始動し、その紙葉類Ｐが一定時間未検出状態になったときや非常停止信号があったときに停止したり、あるいは紙詰まりやその回転抵抗が所定値を超えたときなどに逆回転してその紙葉類Ｐを排出したりするような一般的な制御がなされるようになっている。
【００１６】
次に、このような構成をした本発明のシュレッダー用カッター１００の作用および効果を説明する。なお、本実施の形態では、細断対象となる紙葉類Ｐを数十枚重ねて細断する例で説明するが１枚あるいは数枚程度の紙葉類Ｐであっても同様な作用・効果が得られることは勿論である。
先ず、図１に示すように、このシュレッダー用カッター１００の駆動モータ３０を駆動して、一方のローラーカッター１０を図中矢印方向（正回転方向）に回転させると、歯車１４，１４を介して他方のローラーカッター２０も同時に同じ回転速度で図中矢印方向（逆回転方向）に回転する。
【００１７】
そして、図２に示すようにこれら互いに反対方向に回転しているローラーカッター１０，２０の間に細断対象となる紙葉類Ｐをその上方から送り込むと、互いに噛み合うカッターディスク１２、１２…によってその紙葉類Ｐが縦方向に複数のリボン状に細断されると同時に、その両側のカッターディスク１２、１２のエッジ部１２ａ、１２ａが紙葉類Ｐの側面に食い込むように作用することになる。
さらに、このような状態から両ローラーカッター１０、２０の回転が進行すると、図３に示すように、その縦切りがさらに進行すると共に、一方のローラーカッター１０（２０）のスペーサー１３のエッジ部１３ａに対して他方のローラーカッター２０（１０）のカッターディスク１２のエッジ部１２ａが後から追いつくように両者が互いに接近してくる。
【００１８】
そして、さらに両ローラーカッター１０，２０の回転が進行すると、図４に示すように両エッジ部１２ａ、１３ａがさらに接近して縦切りが終えた紙葉類Ｐに対してその両側から挟んで食い込むように剪断を開始すると同時に、図５に示すように両エッジ部１２ａ、１３ａ同士が接触してその紙葉類Ｐの殆どを横方向に剪断（クロスカット）し、その直後、さらにエッジ部１２ａがエッジ部１３ａを追い越すように回転移動することでその紙葉類Ｐが上下に引き千切られるように作用して剪断されなかった残りの全てが完全にクロスカットされることになる。
【００１９】
すなわち、一方のカッターディスク１２のエッジ部１２ａと、他方のスペーサー１３のエッジ部１３ａは、それぞれ角速度ωはいずれも同じであるが、その回転中心からの距離が異なることから、この噛合部におけるカッターディスク１２のエッジ部１２ａの通過速度ｖ１は、スペーサー１３のエッジ部１３ａの通過速度ｖ２よりも速くなる。
従って、この両エッジ部１２ａ、１３ａの通過速度の差（ｖ２−ｖ１）により、両エッジ部１２ａ、１３ａが紙葉類Ｐをその両側から挟むようにして横方向に剪断する力に加えて、縦切りされた紙葉類Ｐを上下に引き千切るような力が作用するため、確実にその紙葉類Ｐをクロスカットすることができる。
【００２０】
そして、このような作用によるクロスカットは、カッターディスク１２の各エッジ部１２ａ、１２ｂ、１２ｃ、１２ｄ、１２ｅ、１２ｆ、１２ｇ、１２ｈと、スペーサー１３の各エッジ部１３ａ、１３ｂ、１３ｃ、１３ｄ、１３ｅ、１３ｆ、１３ｇ、１３ｈとの間で間断なく行われる。これによって、縦切り直後のリボン状の紙葉類Ｐは、一定の長さをした短冊状の紙葉片ｐに次々と細断されることになる。
その後、クロスカットされた紙葉片ｐは、その自重によりその下方に位置する図示しない紙葉片収容箱内に収容されることになるが、仮にその一部がカッターディスク１２やスペーサー１３の表面に付着してしまった場合でも、これらカッターディスク１２やスペーサー１３がセパレーター４０の位置に達した時点で、その付着した紙葉片ｐは強制的に剥離されて除去されることになる。
【００２１】
従って、クロスカットされた紙葉片ｐがそのままローラーカッター１０，２０に巻き付いて詰まったりしてその回転抵抗を増大してしまうような不都合を未然に防止することができる。
このように本発明のシュレッダー用カッター１００によれば、カッターディスク１２のエッジ部１２ａ、…と、スペーサー１３のエッジ部１３ａ、…とによって紙葉類Ｐを切断するようにしたため、紙葉類Ｐを十数枚以上重ねて切断する場合は勿論、１枚あるいは数枚程度重ねて切断した場合でも完全なクロスカットを行うことができる。
【００２２】
また、このシュレッダー用カッター１００は、各ローラーカッター１０，２０のカッターディスク１２とスペーサー１３の外周面にこれより径方向に突出するエッジ部１２ａ、１３ａ…を形成した構造であるため、従来のものに比べてもいたずらに複雑な構造となることがない。従って、製造コストも安価となり、また、大きさもコンパクトになるため、設置スペースが広くなってしまうなどといった不都合を解消することができる。
【００２３】
なお、本実施の形態では、ローラーカッター１０，２０のカッターディスク１２とスペーサー１３の外周面に沿ってそれぞれ８つのエッジ部１２ａ、１３ａ…を等間隔に設けたた例で説明したが、このエッジ部１２ａ、１３ａの数は、これに限定されるものでなく、細断する紙葉片ｐのサイズ（長さ）に応じて適宜増減しても良いことは勿論である。
また、このカッターディスク１２とスペーサー１３の大きさの比率（直径比）も特に限定されるものでないが、一般にはその差が大きいほど両エッジ部１２ａ、１３ａの相対速度の差が大きくなるため、より効果的にクロスカットが行われる反面、一般にその速度差が大きすぎると却って切断の確実性が低下することも考えられる。従って、例えば、通常カッターディスク１２の径φ１に対してスペーサーの径φ２は、その９０％〜５０％の範囲とすることが望ましい。
【図面の簡単な説明】
【００２４】
【図１】本発明に係るシュレッダー用カッター１００の実施の一形態を示す斜視図である。
【図２】本発明に係るシュレッダー用カッター１００の実施の一形態を示す軸方向断面図である。
【図３】図２の状態から両ローラーカッター１０，２０が所定の角度回転した状態を示す軸方向断面図である。
【図４】図３の状態からさらに両ローラーカッター１０，２０が所定の角度回転した状態を示す軸方向断面図である。
【図５】図３４状態からさらに両ローラーカッター１０，２０が所定の角度回転した状態を示す軸方向断面図である。
【符号の説明】
【００２５】
１００…シュレッダー用カッター
１０、２０…ローラーカッター
１１…回転軸
１２…カッターディスク
１２ａ〜１２ｈ…（カッターディスク側）エッジ部
１３…スペーサー
１３ａ〜１３ｈ…（スペーサー側）エッジ部
１４…歯車
１５、３２…スプロケット
１６…チェーン
３０…駆動モータ
３１…駆動軸
４０…セパレーター
４１…セパレーター本体
４２…円弧状溝部
４３…円弧状凸部
Ｐ…紙葉類
ｐ…紙葉片
【図１】
2009131750.tif 000003
【図２】
2009131750.tif 000004
【図３】
2009131750.tif 000005
【図４】
2009131750.tif 000006
【図５】
2009131750.tif 000007